(57)【要約】【課題】上流側からの高圧の都市ガスを減圧して下流側に供給する都市ガス整圧設備であって、現地施工のための高い製作精度は不要で、製作する工場の床面積も狭くて済む都市ガス整圧設備を提供する。【解決手段】予め工場にて機能別にモジュール化して製作された、フィルター・熱交換器モジュール１１、ガバナモジュール１２、温水ヒーターモジュール１３、計器モジュール１４、ガバナメンテナンスモジュール１５の各機能別モジュールを、現地にて配管２１〜２４及びケーブル配線２５〜２７によって接続する。【選択図】            図１
2004197811.tif 000002
【特許請求の範囲】
【請求項１】
上流側からの高圧の都市ガスを減圧して下流側に供給する都市ガス整圧設備であって、工場にて機能別の複数のモジュールを製作し、該機能別モジュールを現地に据え付けた後、機能別モジュールの間を接続してなることを特徴とする都市ガス整圧設備。
【請求項２】
機能別モジュールの間を配管及び／又は配線にて接続してなることを特徴とする請求項１記載の都市ガス整圧設備。
【発明の詳細な説明】
【０００１】
【発明の属する技術分野】
本発明は、都市ガスの配管系統に用いられ、上流側から高い圧力の都市ガスを受け入れ、所定の圧力に減圧して下流側に供給する都市ガス整圧設備に関するものである。
【０００２】
【従来の技術】
都市ガスは高圧で都市ガス供給ラインに送出され、供給ラインに設けられた都市ガス整圧設備によって所定の圧力に減圧されて、需要家に供給されている。
【０００３】
従来、都市ガス整圧設備の現地施工は、各種配管材料および機器類を個々に現地に搬入し、現地で組立てる方法が採られているために、複雑で多岐にわたる施工工程となっている。
【０００４】
これに対して、現地施工工程の簡略化を図るために、都市ガス整圧設備を運搬可能なユニットとして工場で製作し、そのユニットを現地に搬入し据え付けるという技術が提案されている（例えば、特許文献１参照。）。
【０００５】
前記特許文献１に記載の技術では、設備規模が大きい場合には、図２に示すように、都市ガス整圧設備を運搬可能な複数のユニット６０Ａ、６０Ｂに分割して工場で製作し、それぞれのユニット６０Ａ、６０Ｂを現地に搬入し、据付・連結を行う。
【０００６】
すなわち、ユニット６０Ａとユニット６０Ｂは、それぞれ、建物６１Ａ、６１Ｂと、スキッド６２Ａ、６２Ｂと、配管系６３Ａ、６３Ｂとからなる一体構造物として工場製作され、現地施工にて、建物６１Ａと建物６１Ｂの合わせ部、スキッド６２Ａとスキッド６２Ｂの合わせ部、配管系６３Ａと配管系６３Ｂの合わせ部がそれぞれ連結されるようになっている。
【０００７】
【特許文献１】
特開２００１−１４１１９９号公報
【０００８】
【発明が解決しようとする課題】
前記特許文献１に記載の技術では、設備規模が大きい都市ガス整圧設備の場合、運搬可能な複数のユニットに分割して工場で製作し、それぞれの分割ユニットの合わせ部を現地にて連結することから、分割ユニットに高い製作精度が要求される。
【０００９】
そのため、通常、予め工場で分割ユニット同士の仮組立てを行って製作精度を確認することが必要であり、その仮組立てに対応できるように、製作工場の床面積は分割ユニット数分の広い床面積が必要となる。また、現地への運搬中に分割ユニットの合わせ部が変形しないように、分割ユニットに仮設固定枠を設ける必要がある。
【００１０】
本発明は、上記の問題を解決するためになされたものであり、現地施工のための高い製作精度は不要であり、製作する工場の床面積も狭くて済む都市ガス整圧設備を提供することを目的とするものである。
【００１１】
【課題を解決するための手段】
上記の課題を解決するために、本発明は下記の特徴を有する。
【００１２】
［１］上流側からの高圧の都市ガスを減圧して下流側に供給する都市ガス整圧設備であって、工場にて機能別の複数のモジュールを製作し、該機能別モジュールを現地に据え付けた後、機能別モジュールの間を接続してなることを特徴とする都市ガス整圧設備。
【００１３】
［２］機能別モジュールの間を配管及び／又は配線にて接続してなることを特徴とする前記［１］記載の都市ガス整圧設備。
【００１４】
【発明の実施の形態】
本発明の一実施形態を図１に示す平面図を用いて説明する。
【００１５】
図１に示すように、本発明の実施形態に係る都市ガス整圧設備は、工場にて機能別にモジュール化して作製された、フィルター・熱交換器モジュール１１、ガバナモジュール１２、温水ヒーターモジュール１３、計器モジュール１４、ガバナメンテナンスモジュール１５を備えている。
【００１６】
フィルター・熱交換器モジュール１１は、上流から供給された高圧の都市ガスを濾過するフィルター機能とともに都市ガスを熱交換器によって昇温させる熱交換機能を有するモジュールである。
【００１７】
ガバナモジュール１２は、上流から供給された高圧の都市ガスを所定の圧力に減圧して下流に供給する整圧機能を有するモジュールである。
【００１８】
温水ヒーターモジュール１３は、熱交換によって都市ガスを昇温させるために用いる温水を得る温水加熱機能を有するモジュールである。
【００１９】
計器モジュール１４は、都市ガスの圧力、流量、温度等及び温水の温度、流量等を計測する計器類を備えた計測機能を有するモジュールである。
【００２０】
ガバナメンテナンスモジュール１５は、前記ガバナモジュール１２の部品を取り出して修理点検するためのスペースを備えたメンテナンス機能を有するモジュールである。
【００２１】
そして、フィルター・熱交換器モジュール１１とガバナモジュール１２の間は、配管２１、２２によって接続されており、フィルター・熱交換器モジュール１１と温水ヒーターモジュール１３の間は、配管２３、２４によって接続されている。これらの配管による接続は、溶接あるいはフランジを用いて行われている。
【００２２】
一方、ガバナモジュール１２と計器モジュール１４の間は、ケーブル配線２５によって接続されており、温水ヒーターモジュール１３と計器モジュール１４の間は、ケーブル配線２６によって接続されており、フィルター・熱交換器モジュール１１と計器モジュール１４の間は、ケーブル配線２７によって接続されている。
【００２３】
また、ガバナメンテナンスモジュール１５は、ガバナモジュール１２に隣接して設けられており、扉によって行き来できるようになっている。
【００２４】
そして、フィルター・熱交換器モジュール１１には、都市ガス用の地下配管３１と地上配管３２が接続されている。
【００２５】
なお、上記の各モジュールには、各モジュール内の修理点検用の扉がそれぞれ設けられている。
【００２６】
また、図１中の１６は、フィルター・熱交換器モジュール１１内の熱交換器を修理点検するためのスペースである熱交換器メンテナンススペースである。
【００２７】
そして、上記のような構成の都市ガス整圧設備の施工は下記の手順で行う。
【００２８】
（１）フィルター・熱交換器モジュール１１、ガバナモジュール１２、温水ヒーターモジュール１３、計器モジュール１４、ガバナメンテナンスモジュール１５の各機能別モジュールを工場にて製作する。
【００２９】
（２）機能別モジュール１１〜１５を、設置現場に運搬する。
【００３０】
（３）設置現場にて、機能別モジュール１１〜１５をそれぞれ所定の位置に据え付ける。
【００３１】
（４）フィルター・熱交換器モジュール１１に、都市ガス用の地下配管３１と地上配管３２を接続する。
【００３２】
（５）フィルター・熱交換器モジュール１１とガバナモジュール１２の間を配管２１、２２によって接続し、フィルター・熱交換器モジュール１１と温水ヒーターモジュール１３の間を配管２３、２４によって接続する。
【００３３】
（６）ガバナモジュール１２と計器モジュール１４の間をケーブル配線２５によって接続し、温水ヒーターモジュール１３と計器モジュール１４の間をケーブル配線２６によって接続し、フィルター・熱交換器モジュール１１と計器モジュール１４の間をケーブル配線２７によって接続する。
【００３４】
このような都市ガス整圧設備においては、予め工場にて各機能別にモジュール化し、現地では各機能別モジュールを配管や配線によって接続するようにしているので、各機能別モジュールの製作を高精度で行う必要はなく、製作精度は配管や配線の接続によって吸収することができる。同様に、現地での据付精度も配管や配線の接続によって吸収することができる。
【００３５】
また、工場での仮組立てが不要であるので、製作する工場の床面積も機能別モジュール１個分のスペースがあれば良い。場合によっては、別々の工場で製作して、そのまま現地に運搬することも可能である。
【００３６】
さらに、現地へ運搬中の変形防止のために仮設固定枠を取り付けるといったことも不要である。
【００３７】
【発明の効果】
本発明においては、工場にて機能別にモジュール化して製作した複数の機能別モジュールを現地で接続するようにしているので、各機能別モジュールの製作精度を簡略化できる。また、工場での仮組立てが不要であるので、工場の床面積も機能別モジュール１個分のスペースがあれば良い。
【図面の簡単な説明】
【図１】本発明の一実施形態を示す平面図である。
【図２】従来技術の説明図である。
【符号の説明】
１１  フィルター・熱交換器モジュール
１２  ガバナモジュール
１３  温水ヒーターモジュール
１４  計器モジュール
１５  ガバナメンテナンスモジュール
２１、２２、２３、２４  配管
２５、２６、２７  配線
３１  地下配管
３２  地上配管
【図１】
2004197811.tif 000003
【図２】
2004197811.tif 000004